(57)【特許請求の範囲】
【請求項１】
到来した受信波に時間軸上でＭ（≧２）多重化された複数のチャネルの内、形成されていることが既知である特定のチャネルとの同期をとり、前記時間軸上における前記特定のチャネルの期間または起点を特定する予備同期手段と、
前記複数のチャネルの内、前記期間または前記起点と、前記複数のチャネルの構成とに基づいて定まり、かつ所望の通信に供される通信チャネルとの同期を自律的にとる本同期手段と
を備えたことを特徴とする同期制御装置。
【請求項２】
到来した受信波に時間軸上でＭ（≧２）多重化され、かつ周波数軸上でＮ（≧２）多重化された複数（＞Ｍ）のチャネルの内、形成されていることが既知である特定のチャネルとの同期をとり、前記時間軸上における前記特定のチャネルの期間または起点を特定する予備同期手段と、
前記複数のチャネルの内、前記期間または前記起点と、前記複数のチャネルの構成とに基づいて定まり、かつ所望の通信に供される通信チャネルとの同期を自律的にとる本同期手段と
を備えたことを特徴とする同期制御装置。
【請求項３】
送信端から複数ｐのブランチに到来した複数ｐの受信波に多重化された特定の通信チャネルを介して個別に伝送情報を受信し、これらの伝送情報を蓄積する複数ｐの蓄積手段と、
前記複数ｐの蓄積手段によって受信された伝送情報の伝送品質を評価する伝送品質評価手段と、
前記複数ｐの蓄積手段に蓄積された伝送情報の内、前記伝送品質評価手段によって評価された伝送品質が最大であり、あるいは規定の閾値以上である伝送情報を選択する選択手段とを備え、
前記複数のブランチの全てまたは１つ以外の全てには、
請求項１または請求項２に記載の同期制御装置が適用された
ことを特徴とする無線受信装置。
【請求項４】
送信端から２つのブランチに到来した２つの受信波に多重化された特定の通信チャネルを介して個別に伝送情報を受信し、これらの伝送情報を蓄積する２つの蓄積手段と、
前記２つの蓄積手段によって受信された伝送情報の伝送品質を評価する伝送品質評価手段と、
前記２つの蓄積手段に蓄積された伝送情報の内、前記伝送品質評価手段によって評価された伝送品質が高い伝送情報を選択する選択手段とを備え、
前記２つのブランチの双方または何れか一方には、
請求項１または請求項２に記載の同期制御装置が適用された
ことを特徴とするダイバーシチ受信装置。
【発明の詳細な説明】
【技術分野】
【０００１】
本発明は、複数の受信用のブランチを有する無線通信系や無線伝送系において、これらの複数のブランチの全てまたは一部における所望の通信用チャネルとの同期を実現する同期制御装置と、その同期制御装置が設けられた無線受信装置およびダイバーシチ受信装置に関する。
【背景技術】
【０００２】
ＰＨＳ（Personal Handyphone System）等の移動通信用の端末装置は、伝送容量の増減に対する柔軟な適応、伝送品質の向上や安定化、無線伝送路の状況に応じた柔軟な節電等を実現するために、複数のブランチを備え、これらのブランチが有効に活用されることが望ましい。
【０００３】
このような複数のブランチは、例えば、通信チャネルにおける切り替えダイバーシチのために用いられる場合には、規定のチャネル配置、周波数配置およびゾーン構成に適合したチャネル制御の手順に基づいて無線基地局から受信される「同期バースト」に基づいて「初期同期引き込み」が図られる。
【０００４】
なお、本発明に関連性がある先行技術としては、以下に列記する特許文献１ないし特許文献４がある。
【０００５】
(1) 「各セルに固有のロングコードを含む拡散符号系列を用い、前記ロングコードの同期タイミングを検出した後に、前記ロングコードの一部分あるいはこの部分的コードに基づくコード（以下、これらを「切片」という）によって受信信号のロングコードをサーチする、ＤＳ−ＣＤＭＡ基地局間非同期セルラ方式におけるロングコードサーチ方法であって、（１）前記ロングコードにおける前記部分的コードの位置を順次シフトして前記切片を所定個数生成し、（２）これら切片と前記受信信号との相関演算を行い、（３）前記相関演算の出力に基づいて電力を算出し、（４）当該ロングコードの前記所定個数の切片に対応する電力の平均値を算出し、（５）該平均値が所定の閾値を越えるまで前記ロングコードを変更し、（６）前記平均値が所定の閾値を越えたときに当該切片に対応するロングコードを特定し、これによって当該ロングコードに対応するセルを特定する」ことによって、「高速かつ高精度なロングコードサーチを行う」点に特徴があるＤＳ−ＣＤＭＡ基地局間非同期セルラ方式におけるロングコードサーチ方法…特許文献１
【０００６】
(2) 「通信サービスエリアを複数の小無線ゾーンに分割し、この分割された小無線ゾーンの全てを包括する大無線ゾーンを形成し、移動局が時分割多元接続方式にて小無線ゾーンの基地局及び大無線ゾーンの基地局の何れかと通話する多重無線ゾーン移動通信方式において、前記移動局を、前記小無線ゾーン及び大無線ゾーンの基地局と通信を行う第１及び第２送受信手段(22,23) と、自己移動局の移動速度を検出する速度検出手段(21)と、第１及び第２送受信手段(22,23) の一方( 例えば22) が該小無線ゾーンの基地局と通話中に他方(23)が該大無線ゾーンの基地局の制御チャネルに同期を取るように制御する同期制御手段(20a) と、該移動速度が基準値を越えた場合に無通話状態の送受信手段(23)を用い、該同期制御手段(20a) により同期の取られた該大無線ゾーンの基地局の制御チャネルで通話接続要求信号を送信する制御を行う送信制御手段(20b) と、該通話接続要求信号の送信によって通話チャネルが設定された後に、該通話チャネルに切り替えて通話を継続する制御を行う切替制御手段(20c) とを具備する」ことによって、「ＴＤＭＡ方式での通信中に移動局が小無線ゾーンから大無線ゾーンへチャネル切り替えを行う際に、瞬断無く行う」点に特徴がある多重無線ゾーン移動通信方式…特許文献２
【０００７】
(3) 「フレームナンバーのずれを基地局側で補正してハンドオーバ後の同期を確立する」ことによって、「移動局における止まり木チャネルのフレームナンバーの抽出を不要とし、移動局の処理負担を少なくするとともに無線フレームの位相補正を適正に行う」点に特徴があるＣＤＭＡ移動通信におけるハンドオーバ方法並びにＣＤＭＡ移動通信システム、その基地局及び移動局…特許文献３
【０００８】
(4) 「複数の移動局１１と、各移動局間の通信を中継し、各移動局の送信権を管理する基地局１２とを備え、送信権の要求及び付与は第１の伝送速度による制御チャネルを介してランダムアクセスにより行われ、各移動局間の通信は第２の伝送速度による通信チャネルを介して行われる通信システムにおいて、各移動局が制御チャネルを介し、送信権を要求するフレームを送信し、これに応答して基地局が該要求を許可するフレームを該移動局に送信し、これに応じて該移動局が通信チャネルを介してフレームの送信を開始するときに、該フレームの送信タイミングを、通信チャネルにおける適正なタイミングとなるように補正するタイミング補正手段を設ける」ことによって、「制御チャンネルの通信モードと、通信チャンネルの通信モードとが異なることに起因して、通信チャネルへ移行したときの送信タイミングが不明となるのを防止する」点に特徴がある通信システム、基地局装置、移動局装置、及び通信方法…特許文献４
【先行技術文献】
【特許文献】
【０００９】
【特許文献１】特許第３３００７９０号公報
【特許文献２】特許第３３２８３８５号公報
【特許文献３】特許第３４７９９３５号公報
【特許文献４】特開２００９−１５３０２２号公報
【発明の概要】
【発明が解決しようとする課題】
【００１０】
ところで、上述した従来例では、一般に、切り替えダイバーシチは消費電力の節減等のために通信（通話）期間の全てに亘って行われるとは限らない。
【００１１】
また、既存の通信（通話）に用いられていたブランチであっても、無線区間の伝送品質の劣化に起因して同期外れが生じたブランチ、あるいはその既存の通信（通話）とは異なる通信に対する適用が不要となったブランチは、チャネル制御の下で無線基地局から同期バーストを受信できないため、継続されている通信（通話）に用いられている通信チャネルとの同期を確立することはできなかった。
【００１２】
なお、既述の切り替えダイバーシチは、例えば、無線周波帯や中間周波帯ではなく、下記のベースバンド領域で行われることにより、一応実現可能である。
(1) 復調、信号判定、フレーム同期に併せて、所望の通信チャネルの伝送品質の評価等の処理がブランチ毎に並行して行われる。
(2) このようにして評価された伝送品質が最大であったブランチを介して後続して受信されるフレームを特定し、そのフレームに多重化された通信チャネルを介して得られた伝送情報の列を順次採用する。
【００１３】
しかし、このようなベースバンド領域における切り替えダイバーシチでは、２つのブランチにそれぞれ対応した復調、信号判定その他の処理は必ずしも同期して行われず、しかも、伝送情報は少なくともフレーム長以上に亘って遅延して得られる。
【００１４】
さらに、規定のチャネル構成、変復調方式、周波数配置、ゾーン構成の下で隣接する無線ゾーンや周辺の無線ゾーンからは、上記フレームにほぼ同期した干渉波が到来し得るために、特定の通信チャネル（タイムスロット）の伝送品質が繰り返し劣化する可能性があった。
【００１５】
本発明は、複数のブランチの有効かつ柔軟な活用を可能とする同期制御装置、無線受信装置およびダイバーシチ受信装置を提供することを目的とする。
【課題を解決するための手段】
【００１６】
請求項１に記載の発明では、予備同期手段は、到来した受信波に時間軸上でＭ（≧２）多重化された複数のチャネルの内、形成されていることが既知である特定のチャネルとの同期をとり、前記時間軸上における前記特定のチャネルの期間または起点を特定する。本同期手段は、前記複数のチャネルの内、前記期間または前記起点と、前記複数のチャネルの構成とに基づいて定まり、かつ所望の通信に供される通信チャネルとの同期を自律的にとる。
【００１７】
すなわち、通信チャネルとの同期は、形成されていることが既知である特定のチャネルとの同期が確立された後、このような特定のチャネルの期間または起点と、その特定のチャネルを含む複数のチャネルの構成とに基づいて図られる。
【００１８】
請求項２に記載の発明では、予備同期手段は、到来した受信波に時間軸上でＭ（≧２）多重化され、かつ周波数軸上でＮ（≧２）多重化された複数（＞Ｍ）のチャネルの内、形成されていることが既知である特定のチャネルとの同期をとり、前記時間軸上における前記特定のチャネルの期間または起点を特定する。本同期手段は、前記複数のチャネルの内、前記期間または前記起点と、前記複数のチャネルの構成とに基づいて定まり、かつ所望の通信に供される通信チャネルとの同期を自律的にとる。
すなわち、通信チャネルとの同期は、形成されていることが既知である特定のチャネルがその通信チャネルと異なる無線周波数を用いて形成されている場合であっても、この特定のチャネルとの同期が確立された後、このような特定のチャネルの期間または起点と、その特定のチャネルを含む複数のチャネルの構成とに基づいて図られる。
【００１９】
請求項３に記載の発明では、複数ｐの蓄積手段は、送信端から複数ｐのブランチに到来した複数ｐの受信波に多重化された特定の通信チャネルを介して個別に伝送情報を受信し、これらの伝送情報を蓄積する。伝送品質評価手段は、前記複数ｐの蓄積手段によって受信された伝送情報の伝送品質を評価する。選択手段は、前記複数ｐの蓄積手段に蓄積された伝送情報の内、前記伝送品質評価手段によって評価された伝送品質が最大であり、あるいは規定の閾値以上である伝送情報を選択する。前記複数のブランチの全てまたは１つ以外の全てには、請求項１ないし請求項４の何れか１項に記載の同期制御装置が適用される。
【００２０】
すなわち、複数ｐのブランチに到来した複数ｐの受信波に多重化されている何れの通信チャネルを介して受信された伝送情報も、伝送品質が良好であるならば、請求項１または請求項２に記載の同期制御装置が適用されることにより、制御チャネルとの同期を経て段階的に達成される同期の下で所望の処理を施すことが可能となる。
【００２１】
請求項４に記載の発明では、２つの蓄積手段は、送信端から２つのブランチに到来した２つの受信波に個別に多重化された特定の通信チャネルを介して伝送情報を受信し、これらの伝送情報を蓄積する。伝送品質評価手段は、前記２つの蓄積手段によって受信された伝送情報の伝送品質を評価する。選択手段は、前記２つの蓄積手段に蓄積された伝送情報の内、前記伝送品質評価手段によって評価された伝送品質が高い伝送情報を選択する。
前記２つのブランチの双方または何れか一方には、請求項１または請求項２に記載の同期制御装置が適用される。
【００２２】
すなわち、２つのブランチに到来した２つの受信波に多重化されている何れの通信チャネルを介して受信された伝送情報も、請求項１ないし請求項４の何れか１項に記載の同期制御装置が適用されることにより、制御チャネルとの同期を経て段階的に達成される同期と、切り替えダイバーシチとの下で高い伝送品質により得られる。
【発明の効果】
【００２３】
本発明によれば、同期の基準が直接送信端から伝送されてこない通信チャネルであっても、その通信チャネルとの同期は、形成されていることが既知である特定のチャネルとの同期を経て段階的に達成される。
本発明では、同期の基準が得られない通信チャネルの有効な活用の下で、伝送容量等の多様な要求に対する柔軟な対応が可能となる。
【００２４】
本発明では、同期の基準が得られない通信チャネルの有効な活用の下で、ダイバーシチ効果が柔軟に達成される。
したがって、本発明が適用された無線通信系や無線伝送系では、チャネル構成、周波数配置、ゾーン構成およびチャネル制御手順の何れもが基本的に変更されることなく、余剰のブランチの活用と、これらのブランチの組み合わせによる多様なニーズへの対応とが可能となる。
【図面の簡単な説明】
【００２５】
【図１】本発明の第一および第二の実施形態を示す図である。
【図２】本発明の第一の実施形態の動作タイムチャートである。
【図３】本発明の第一の実施形態におけるプロセッサの動作フローチャートである。
【図４】本発明の第二の実施形態の動作タイムチャートである。
【図５】本発明の第二の実施形態におけるプロセッサの動作フローチャートである。
【発明を実施するための形態】
【００２６】
以下、図面に基づいて本発明の実施形態について詳細に説明する。
図１は、本発明の第一および第二の実施形態を示す図である。
本実施形態では、図１に示すように、以下の構成要素から構成されるＰＨＳ用の通信端末装置（以下、「移動局」という。）に本発明が適用される。
【００２７】
(1) アンテナ１１-1、１１-2
(2) これらのアンテナ１１-1、１１-2の給電点にそれぞれ接続された系２０-1、２０-2
(3) 系２０-1、２０-2の復調出力にそれぞれ接続された２つの接点を有するスイッチ１２
(4) スイッチ１２の共通接点に縦続接続されたバッファメモリ１３
(5) バッファメモリ１３の出力に接続され復号化入力と、系２０-1、２０-2の変調入力に個別に接続された符号化出力とを有する音声符復号化部１４
(6) 音声符復号化部１４の復号化出力に接続されたレシーバ１５
【００２８】
(7) 音声符復号化部１４の符号化入力に接続されたマイク１６
(8) 系２０-1、２０-2およびスイッチ１２の制御端子にそれぞれ接続された入出力ポートを有するプロセッサ１７
【００２９】
上記系２０-1は、以下の要素から構成される。
(1) アンテナ１１-1の給電点に接続された共通接点と、ＴＤＭＡ／ＴＤＤ部２５-1の制御端子に接続された制御端子とを有するアンテナスイッチ（ＡＳＷ）２１-1
(2) アンテナスイッチ２１-1の第一の接点に接続された受信部２２-1
(3) アンテナスイッチ２１-1の第二の接点に接続された出力端子を有する送信部２３-1
【００３０】
(4) 受信部２２-1の出力と送信部２３の入力とに縦続接続された変復調部２４-1およびＴＤＭＡ／ＴＤＤ部２５-1
(5) ＴＤＭＡ／ＴＤＤ部２５-1のベースバンド入出力に接続されたポートと、スイッチ１２の対応する接点に接続された読み出し専用ポートとに併せて、音声符復号化部１４の復号化出力に接続された書き込み専用ポートとを有するバッファメモリ２６-1
【００３１】
なお、系２０-2の構成については、系２０-1の構成と同じであるので、以下では、同様の機能を有する構成要素に、添え番号「１」に代わる「２」が付加された同じ符号を付与し、ここではその説明を省略する。
また、以下では、系２０-1、２０-2に共通の事項については、添え番号「１」、「２」の何れにも該当し得ることを意味する添え文字「Ｃ」を対応する構成要素に付与して記述する。
【００３２】
以下、後述する第一および第二の実施形態において各部が連係することにより同様に行われる基本的な動作を説明する。
系２０-Cでは、受信部２２-C、送信部２３-C、変復調部２４-C、ＴＤＭＡ／ＴＤＤ部２５-Cは、規定のチャネル構成、周波数配置、ゾーン構成およびチャネル制御の方式に整合した所定の処理を行うプロセッサ１７の配下で作動する。アンテナスイッチ２１-Cは、無線基地局（図示されない。）からアンテナ１１-Cに到来した受信波を受信部２２に引き渡す。変復調部２４-Cは、このような信号に復調処理および信号判定処理を施すことにより、上記受信波として無線基地局から受信した伝送情報（以下、「下り伝送情報」という。）の列を生成する。
【００３３】
ＴＤＭＡ／ＴＤＤ部２５-Cは、上記下り伝送情報の列に対して、規定のフレーム構成に基づくフレーム同期を図り、このフレーム同期の下で所望の制御チャネルや通信チャネルの伝送情報を得る。さらに、ＴＤＭＡ／ＴＤＤ部２５-Cは、確立したフレーム同期および規定のチャネル配置の下で、アンテナスイッチ２１-Cの共通接点を既述の第一の接点と第二の接点との何れかに接続することにより、ＴＤＤ（Time Division Duplex）方式の無線伝送を可能とする。
【００３４】
プロセッサ１７は、このようにして系２０-1、２０-2（ＴＤＭＡ／ＴＤＤ部２５-C）によって得られた伝送情報の列が非音声系のデータである場合には、そのプロセッサ１７自身が取り込み、かつチャネル制御その他の処理を行う。
【００３５】
しかし、反対に音声系のデータについては、ＴＤＭＡ／ＴＤＤ部２５-Cがバッファメモリ２６-Cを介して出力し、プロセッサ１７によって制御されるスイッチ１２を介してバッファメモリ１３に引き渡される。バッファメモリ１３は、その音声系のデータをファーストインファーストアウト方式により蓄積しつつ、音声符復号化部１４に引き渡す。音声符復号化部１４は、このようにして引き渡された音声系のデータを音声信号に変換し、レシーバ１５を介して出力する。
【００３６】
一方、マイクを介して入力された音声信号は、音声符復号化部１４によって音声系のデータ信号に変換され、バッファメモリ２６-Cを介してＴＤＭＡ／ＴＤＤ部２５-Cに引き渡される。なお、プロセッサ１７は、このような音声系のデータに代えて（あるいは並行して）、所望のデータ（例えば、チャネル制御に必要であるデータが該当する。以下、「非音声系のデータ」という。）を送信すべき場合には、ＴＤＭＡ／ＴＤＤ部２５-Cにその非音声系のデータを直接引き渡す。
【００３７】
ＴＤＭＡ／ＴＤＤ部２５-Cおよび変復調部２４-Cは、既述の処理と反対の処理を行うことにより、このようなデータで変調された信号を生成する。送信部２３-Cは、この信号を規定の周波数帯の送信波に変換し、アンテナスイッチ２１-Cおよびアンテナ１１-Cを介して無線基地局宛に送信する。
【００３８】
［第一の実施形態］
図２は、本発明の第一の実施形態の動作タイムチャートである。
図３は、本発明の第一の実施形態におけるプロセッサの動作フローチャートである
【００３９】
以下、図１〜図３を参照して、本実施形態の動作を説明する。
無線基地局と本実施形態に係る移動局との間における無線伝送には、無線基地局と対向する移動局における受信のために割り付けられた４つのタイムスロット（図２(1))と、反対に送信に割り付けられた４つのタイムスロット（図２(2))とを介してこれらの無線チャネルの送信と受信とが一括して交互に行われるＴＤＭＡ（Time Division Multiple Access）方式および既述のＴＤＤ方式が採用される。
【００４０】
なお、以下では、上記受信のために割り付けられた４つのタイムスロットについては、一括して「受信タイムスロット」と称し、かつ時系列の順に「ＴＳｒ-1」〜「ＴＳｒ-4」と称することとする。さらに、上記送信のために割り付けられた４つのタイムスロットについては、一括して「送信タイムスロット」と称し、かつ時系列の順に「ＴＳｓ-1」〜「ＴＳｓ-4」と称することとする。
【００４１】
また、上記ＴＤＭＡ方式の下では、これらの受信タイムスロットと送信タイムスロットとが組み合わせられることにより、以下の４つの全二重の無線チャネルが形成される。
(1) 第１の無線チャネル：  ＴＳｓ-1とＴＳｒ-1との対（無線周波数ｆ１）
(2) 第２の無線チャネル：  ＴＳｓ-2とＴＳｒ-2との対（無線周波数ｆ０(≠ｆ１)）
(3) 第３の無線チャネル：  ＴＳｓ-3とＴＳｒ-3との対（無線周波数ｆ１）
(4) 第４の無線チャネル：  ＴＳｓ-4とＴＳｒ-4との対（無線周波数ｆ１）
【００４２】
なお、ここに、第１、第３および第４の無線チャネルは、既述のチャネル制御の下で、それぞれ異なる通信チャネルに対応付けられ、かつ第２の無線チャネルは、２０フレーム毎に定常的に送信が行われ、報知情報その他の制御情報の移動局に対する通知に供されることが自明である制御チャネルに対応づけられていると仮定する。
【００４３】
変復調部２４-Cは、ＴＳｒ-1〜ＴＳｒ-4を介して受信された信号に個別に施される復調処理および信号判定処理の下で既述の下り伝送情報の列を生成し、その過程では、以下の２つの項目を所定の精度で小さな値に維持することができるパラメータ（以下、「シンボル同期情報」という。）を求め、かつ必要に応じて更新すると共に、上記第１ないし第４の無線チャネルに個別に対応して内蔵されたメモリ２４M-C1〜２４M-C4に保持する。
【００４４】
(1) 時間軸上における基準点に対する信号点毎のタイミングの偏差
(2) 無線基地局と移動局との間におけるクロック周波数の差に起因して生じるそのタイミングのシフト
【００４５】
なお、このようなメモリ２４M-C1〜２４M-C4は、図１には点線枠で示され、かつプロセッサ１７による参照が適宜可能に構成される。
【００４６】
また、ＴＤＭＡ／ＴＤＤ部２５-Cは、図１に点線枠で示されるように、上記第１ないし第４の無線チャネルに個別に対応した個別同期制御部２５Ｓ-C１〜２５Ｓ-C4を有する。
【００４７】
これらの個別同期制御部２５Ｓ-C１〜２５Ｓ-C4は、時間軸上における受信タイムスロットＴＳｒ-1〜ＴＳｒ-4および送信タイムスロットＴＳｓ-1〜ＴＳｓ-4の期間を示す同期情報（プロセッサ１７が行う制御情報チャネル制御の下で与えられる。）に応じて、以下の通りにＴＤＭＡ／ＴＤＤ部２５-C本体と連係する。
【００４８】
(1) ＴＤＭＡ／ＴＤＤ部２５-Cは、プロセッサ１７の配下で既述のＴＤＭＡ方式およびＴＤＤ方式に適合したフレーム同期をとる。
(2) 個別同期制御部２５Ｓ-C１〜２５Ｓ-C4は、プロセッサ１７によって指示された受信スロット（以下、このような受信スロットを示す指示を「スロット同期情報」という。）や送信スロットの期間に、既述の伝送情報の列に対するインサート、ディベロップの処理を施すことにより、これらの受信スロットや送信スロットを介する所望の伝送情報の受信と送信とを実現する。
【００４９】
以下、既述の事項と以下の状態(1)、(2)とを前提として、系２０-2が後述する「特定の通信チャネル」との同期を確立するために行われる各部の連係の過程を説明する。
(1) 系２０-1は、ＴＳr-4とＴＳs-4との対として形成されている「特定の通信チャネル」との同期が通常のチャネル制御の手順に基づいて確立し、かつ安定に維持されると共に、その「特定の通信チャネル」を介する所望の伝送情報の送受信に供されている。
(2) 系２０-2は、如何なる通信にも供されていない。
【００５０】
（予備同期）
プロセッサ１７は、系２０-2に関して以下の処理を行う。
(1) 上記「特定の通信チャネル」に割り付けられるべきタイムスロットＴＳｒ-4およびＴＳｓ-4を識別する（図３ステップＳ１）。
(2) 個別同期制御部２５Ｓ-21〜２５Ｓ-24の内、これらのＴＳｒ-4（図２(3))およびＴＳｓ-4（図２(4))に対応する個別同期制御部２５Ｓ-24に、既述の制御チャネルに割り付けられるべきＴＳｒ-2（図２(5))およびＴＳｓ-2（図２(6))を示す「スロット同期情報」（＝２）を指示する（図３ステップＳ２）。
【００５１】
(3) 受信部２２-2に対して、これらのＴＳｒ-4およびＴＳｓ-4の期間（ＴＤＭＡ／ＴＤＤ部２５-2が行うフレーム同期の下で与えられる。）に上記制御チャネルの無線周波数ｆ０の無線信号の受信を行うべき旨を指示する（図３ステップＳ３）。
【００５２】
したがって、系２０-2では、受信部２２-4、変復調部２４-4およびＴＤＭＡ／ＴＤＤ部２５-4は、上記指示（プロセッサ１７）の下で連係することにより、制御チャネル（無線基地局によって送信が定常的に反復されている。）との同期を確立することができる。なお、この同期の確立には、制御チャネルの受信系列に常に含まれ、その受信系列のみによる速やかな同期引き込みを可能とする所定の同期パターンが用いられる。
【００５３】
（本同期）
さらに、プロセッサ１７は、このようにして系２０-2が制御チャネルに同期したことを識別すると、以下の処理を行う。
【００５４】
(1) 系２０-1と並行して「特定の通信チャネル」に割り付けられるべきＴＳｒ-4およびＴＳｓ-4を示す「４」に、これらのＴＳｒ-4およびＴＳｓ-4に対応した個別同期制御部２５Ｓ-24に保持されている「スロット同期情報」（＝２）を更新する（図２(7)，図３ステップＳ４）。
(2) 受信部２２-2に対して、これらのＴＳｒ-4およびＴＳｓ-4の期間（ＴＤＭＡ／ＴＤＤ部２５-2が行うフレーム同期の下で与えられる。）に「特定の通信チャネル」の無線周波数ｆ１の無線信号の受信を行うべき旨を指示する（図２(8)、図３ステップＳ５）。
【００５５】
すなわち、系２０-2では、系２０-1が「特定の通信チャネル」を介する通信に単独で供されている状態であっても、無線基地局によって定常的に送信が反復されている制御チャネルとの同期を確立する予備同期の手順と、その制御チャネルと「特定の通信チャネル」とにそれぞれ対応するタイムスロットの時間軸上における隔たりを圧縮する本同期の手順とを経ることにより、系２０-1と並行して制御チャネルおよび「特定の通信チャネル」との同期を確立できる。
【００５６】
また、このようにして個別同期制御部２５Ｓ-24 が「特定の通信チャネル」との同期を確立した後には、その個別同期制御部２５Ｓ-24 と、個別同期制御部２５Ｓ-14 との双方は、その「特定の通信チャネル」を介して受信された受信系列を並行して取得してバッファメモリ２６-2、２６-1にそれぞれ格納すると共に、これらの受信系列の伝送品質を評価してその結果をプロセッサ１７に通知する。なお、上記伝送品質は、例えば、受信系列の末尾その他の特定の部位に配置されているＣＲＣ(Cyclic Redundancy Check)コードに基づくスロット毎のＣＲＣチェックにより評価される。
【００５７】
プロセッサ１７は、「上記通知された伝送品質に基づいてスイッチ１２の共通接点に接続されるべき接点を選択することにより、バッファメモリ２６-1、２６-2の内、高い伝送品質が得られた一方のバッファメモリに格納されている受信系列をバッファメモリ１３に引き渡す処理」を適宜反復する。
【００５８】
なお、このような処理については、個々のフレームのＴＳｒ-4毎に、後続するフレームのスロットＴＳｒ-4が受信されるまでの期間に遅滞なく行われればよいため、演算対象の情報量と処理量との何れもが最小限度に抑えられ、しかも、応答性の確保が安価に実現される。
【００５９】
バッファメモリ１３は、このようにして引き渡された受信例をファーストインファーストアウト方式により順次記憶しつつ出力する。
【００６０】
音声符復号化部１４は、このようにして出力された受信系列に所定の復号化方式（例えば、ＡＤＰＣＭ）に基づく処理を施すことにより、音声信号を生成し、レシーバ１５を介してユーザに提供する。
【００６１】
このように本実施形態によれば、系２０-2は、チャネル制御の手順が変更されなくても、ハードウェアの構成が大幅に変更されることなく、他方の系２０-1が単独での通信に用いられている「特定の通信チャネル」との同期をその系２０-1より遅れて確実に確立し、かつ安定に維持することができる。
【００６２】
また、このような同期の確立は系２０-1、２０-2が個別に周波数オフセット分と位相オフセット分を吸収する引き込み処理を行うことなく実現され、そのためにこれらの系２０-1、２０-2の間で相互に同期関係を確認する処理は不要である。
【００６３】
さらに、チャネル制御の手順が基本的に変更されないにもかかわらず、系２０-2は、無線区間における伝送品質の劣化に起因した同期外れの回復が図られるべき場合、あるいは「特定の通信チャネル」とは異なる通信チャネルを介する通信に対する適用が不要となった場合との何れにおいても、「特定の通信チャネル」における切り替えダイバーシチの実現に柔軟に適用可能となる。
【００６４】
また、アンテナ１１-Cに到来した受信波のレベルに応じてＡＧＣ（Automatic Gain Control）が行われる場合であっても、切り替えダイバーシチによるダイバーシチ効果が達成される。
【００６５】
したがって、本実施形態によれば、構成の複雑化やコストの大幅な増加を伴うことなく、多様な形態の通信に対する系２０-1、２０-2の柔軟な適用が可能となり、かつ伝送品質が安定に高く維持される。
【００６６】
［第二の実施形態］
図４は、本発明の第二の実施形態の動作タイムチャートである。
図において、既述の第一の実施形態と同様の処理については、図２に示す番号(1)〜(6)を付与して示し、ここでは、その説明を省略する。
【００６７】
図５は、本発明の第二の実施形態におけるプロセッサの動作フローチャートである。
以下、図１、図４および図５を参照して、本実施形態の動作を説明する。
【００６８】
本実施形態と既述の第一の実施形態との相違点は、系２０-2が既述の「特定の通信チャネル」との同期を確立するために各部によって行われる以下の連係の過程にある。
【００６９】
なお、以下の連係の過程は、既述の第一の実施形態と同様に、系２０-1は、ＴＳｒ-4とＴＳｓ-4とに割り付けられた「特定の通信チャネル」との同期が通常のチャネル制御の手順に基づいて確立し、かつ安定に維持されると共に、その「特定の通信チャネル」を介する所望の伝送情報の送受信に供されているが、系２０-2は、如何なる通信にも供されていない状態を前提とする。
【００７０】
（予備同期）
プロセッサ１７は、系２０-2に関して以下の処理を行う。
(1) 「特定の通信チャネル」に割り付けられるべきタイムスロットとして、ＴＳｒ-4およびＴＳｓ-4を識別し、かつ制御チャネルに割り付けられるべきタイムスロットとしてＴＳｒ-2およびＴＳｓ-2を識別する（図５ステップS１）。
(2) 個別同期制御部２５Ｓ-21〜２５Ｓ-24の内、上記ＴＳｒ-2およびＴＳｓ-2に対応する個別同期制御部２５Ｓ-22に、既述の制御チャネルに割り付けられるべきＴＳｒ-2およびＴＳｓ-2を示す「スロット同期情報」（＝２）を指示する（図５ステップS２）。
【００７１】
(3) 受信部２２-2に対して、これらのＴＳｒ-2およびＴＳｓ-2の期間（ＴＤＭＡ／ＴＤＤ部２５-2が行うフレーム同期の下で与えられる。）に上記制御チャネルの無線周波数ｆ０の無線信号の受信を行うべき旨を指示する（図５ステップS３）。
【００７２】
したがって、系２０-2では、受信部２２-2、変復調部２４-2およびＴＤＭＡ／ＴＤＤ部２５-2は、上記指示（プロセッサ１７）の下で連係することにより、制御チャネル（無線基地局によって送信が定常的に反復されている。）との同期を確立することができる。
【００７３】
（本同期）
さらに、プロセッサ１７は、このようにして系２０-2が制御チャネルに同期したことを識別すると、以下の処理を行う。
(1) 変復調部２４-2に備えられたメモリ２４Ｍ-21〜２４Ｍ-24の内、ＴＳｒ-2およびＴＳｓ-2に対応したメモリ２４Ｍ-22に保持されている「シンボル同期情報」を取得し、系２０-1と同様に、「特定の通信チャネル」の受信に本来供されるべきＴＳｒ-4およびＴＳｓ-4に対応したメモリ２４Ｍ-24に複写する（図３(ａ)、図５ステップＳ４）。
【００７４】
(2) ＴＤＭＡ／ＴＤＤ部２５-2に備えられた個別同期制御部２５Ｓ-21〜２５Ｓ-24の内、ＴＳｒ-4およびＴＳｓ-4に対応した個別同期制御部２５Ｓ-24に、上記タイムスロットＴＳｒ-4およびＴＳｓ-4に対応する「スロット同期情報」として「４」を与える（図３(ｂ)、図５ステップＳ５）。
【００７５】
したがって、本実施形態によれば、系２０-2では、系２０-1が「特定の通信チャネル」を介する通信に単独で供されている状態であっても、既述の第一の実施形態と同様に、無線基地局によって定常的に送信が反復されている制御チャネルとの同期を確立する予備同期の手順と、その制御チャネルと「特定の通信チャネル」とにそれぞれ対応するタイムスロットの時間軸上における隔たりを圧縮する本同期の手順を経ることにより、系２０-1と並行して制御チャネルおよび「特定の通信チャネル」との同期を確立できる。
【００７６】
なお、上述した各実施形態では、無線区間における伝送品質の劣化に起因して系２０-2が「特定の通信チャネル」との同期を維持できなくなる要因が例示されていない。
しかし、本発明は、このような要因が、例えば、無線基地局がアダプティブアレイアンテナを用いて行うアンテナ１１-2の方向へのビームフォーミングの誤差であっても、適用可能である。
【００７７】
また、上述した各実施形態では、ＴＤＭＡ／ＴＤＤ部２５-Cには、各受信タイムスロットとの同期と、該当する受信タイムスロットを介して受信された受信系列の抽出とを実現する個別同期制御部２５Ｓ-C1〜２５Ｓ-C4が備えられている。
しかし、本発明は、このような同期および受信系列の抽出は、既述の処理に等価な処理を実現することができるならば、如何なる構成のハードウェアや信号処理で代替されてもよい。
【００７８】
さらに、上述した各実施形態では、制御チャネルは、「特定の通信チャネル」のために割り付けられた無線周波数ｆ１と異なる無線周波数ｆ０が割り付けられることによって形成されている。
しかし、本発明は、このような周波数配置やチャネル構成に限定されず、例えば、「特定の通信チャネル」と制御チャネルとの双方が共通の無線周波数ｆ１に時分割多重化された場合にも、同様に適用可能である。
【００７９】
また、本発明は、「特定の通信チャネル」となり得る無線チャネルの数がマルチフレーム構成の下で時分割多重度(＝４)より大きい値に設定される場合であっても、同様に適用可能である。
【００８０】
さらに、上述した各実施形態では、系２０-2は、系２０-1に遅れて「特定の通信チャネル」との同期を確立した後に、その系２０-1、２０-2と共に切り替えダイバーシチに供されている。
【００８１】
しかし、本発明では、系２０-2は、「特定の通信チャネル」との同期を確立した後に、例えば、以下の何れの用途に供されてもよい。
(1) 「特定の通信チャネル」を介して受信される伝送情報の内、特定の伝送情報の抽出
(2) その特定の伝送情報のみにかかわる処理
(3) 「特定の通信チャネル」に併せて他の通信チャネルを併用することによる所望の伝送容量の確保
(4) 「特定の通信チャネル」に併せて他の通信チャネルを併用することによる２つの異なる通信の実現
【００８２】
また、発明では、系２０-2が系２０-1に遅れて同期が確立されるべき通信チャネルは、その系２０-1が先行して同期を確立している「特定の通信チャネル」に限定されず、所定のチャネル制御の下で特定され、かつ制御チャネルとの同期を実現する予備同期を経て同期の確立が可能であるならば、如何なる通信チャネル（受信タイムスロット）であってもよい。
【００８３】
さらに、上述した各実施形態では、本発明は、ＰＨＳの通信端末装置に適用されている。
しかし、本発明は、このようなＰＨＳに限定されず、チャネル構成、周波数配置、ゾーン構成等が整合するならば、如何なる無線通信系や無線伝送系にも適用可能である。
【００８４】
また、このような無線通信系や無線伝送系には、多元接続方式としてＴＤＭＡ方式が単独で適用されなくてもよく、あるいは、ＴＤＭＡ方式に併せて他の如何なる多元接続方式が組み合わせられてもよい。
【００８５】
さらに、上述した各実施形態では、変復調部２４-Cにメモリ２４Ｍ-C1〜２４Ｍ-C4が備えられている。
しかし、これらのメモリ２４Ｍ-C1〜２４Ｍ-C4は、例えば、変復調部２４-Cとは別体に備えられてもよく、全てのタイムスロットについて「シンボル同期情報」が所望の精度で同じであると見なされる場合には１本化されてもよく、変復調部２４-Cが個々のタイムスロットにかかわる変復調処理を個別に行うことによる同期の遅延が許容される場合には備えられなくてもよい。
【００８６】
また、上述した各実施形態では、ＴＤＤ方式に基づいて無線基地局との間に双方向の無線伝送路が形成されている。
しかし、本発明は、このようなチャネル構成に限定されず、例えば、上記双方向の無線伝送路が如何なる多元接続方式に基づいて形成される系にも適用可能であり、無線基地局から到来する受信波の受信のみを行う装置にも適用可能である。
【００８７】
さらに、上述した各実施形態では、系２０-1、２０-2の構成が同じとなっている。
しかし、本発明は、系２０-1の構成は、その系２０-1が系２０-2に必ず先行して「特定の通信チャネル」との同期を確定する場合には、このような系２０-2の異なってもよい。
【００８８】
また、上述した各実施形態では、系２０-1が系２０-2と共に備えられている。
しかし、本発明は、系２０-1が備えられず、かつ系２０-2が単独で備えられることによって構成された無線伝送系や無線通信系にも同様に適用可能である。
【００８９】
さらに、上述した各実施形態では、本発明は、互いに異なる２つのブランチを形成する系２０-1、２０-2が備えられた無線通信端末に適用されている。
しかし、本発明は、３つ以上のブランチ（系２０-2と同様に構成されるブランチを含む。）を有する無線端末装置にも、同様に適用可能である。
【００９０】
また、上述した各実施形態では、受信系列の伝送品質の評価は、ＣＲＣコードに基づいて行われている。
しかし、このような伝送品質は、既述の受信系列毎の評価が可能であるならば、例えば、以下に列記される基準その他の如何なる基準に基づいて評価されてもよい。
・  受信系列に含まれる既知のビット列（語）の誤りビット数
・  該当する受信系列が得られる受信タイムスロットのＲＳＳＩ（Received Signal
Strength Indicator ）
【００９１】
さらに、本発明は、上述した実施形態に限定されず、本発明の範囲において多様な実施形態の構成が可能であり、構成要素の全てまたは一部に如何なる改良が施されてもよい。
【００９２】
以下、既述の実施形態に開示された発明の内、「特許請求の範囲」に対する記載を省略した発明を「特許請求の範囲」および「課題を解決するための手段」の欄の記載に準じた様式により列記する。
【００９３】
［１］  請求項１または請求項２に記載の同期制御装置において、
前記時間軸上でＭ多重化されたＭ個のチャネルとの同期に個別に供される複数の個別同期手段を有し、
前記予備同期手段は、
前記複数の個別同期手段の内、前記特定のチャネルとの同期に供されるべき第一の個別同期手段を用いて前記特定のチャネルとの同期をとり、
前記本同期手段は、
前記複数の個別同期手段の内、前記通信チャネルとの同期に供されるべき第二の個別同期手段として、前記第一の個別同期手段の稼働条件から前記時間軸上における前記特定のチャネルと前記通信チャネルとの格差が補償される稼働条件を設定する
ことを特徴とする同期制御装置。
【００９４】
このような構成の同期制御装置では、請求項１または請求項２に記載の同期制御装置において、複数の個別同期手段は、前記時間軸上でＭ多重化されたＭ個のチャネルとの同期に個別に供される。前記予備同期手段は、前記複数の個別同期手段の内、前記特定のチャネルとの同期に供されるべき第一の個別同期手段を用いて前記特定のチャネルとの同期をとる。前記本同期手段は、前記複数の個別同期手段の内、前記通信チャネルとの同期に供されるべき第二の個別同期手段として、前記第一の個別同期手段の稼働条件から前記時間軸上における前記特定のチャネルと前記通信チャネルとの格差が補償される稼働条件を設定する。
【００９５】
すなわち、所望の通信チャネルとの同期は、その通信チャネルを含むＭ個のチャネルとの同期に個別に供される個別同期手段の内、特定のチャネルと通信チャネルとに対応する個別同期手段に設定される稼働条件との切り替えにより、制御チャネルとの同期を経て段階的に行われる。
【００９６】
したがって、上記個別同期手段が既存である場合には、これらの個別同期手段の活用により所望の通信チャネルとの同期が実現される
【００９７】
［２］  請求項１または請求項２に記載の同期制御装置において、
前記時間軸上でＭ多重化されたＭ個のチャネルとの同期に個別に供される複数の個別同期手段を有し、
前記予備同期手段は、
前記複数の個別同期手段の内、前記通信チャネルとの同期に供される第二の個別同期手段を用いて前記特定のチャネルとの同期をとり、
前記本同期手段は、
前記複数の個別同期手段の内、
前記第二の個別同期手段の稼働条件として、前記時間軸上における前記特定のチャネルと前記通信チャネルとの格差が補償される稼働条件を設定する
ことを特徴とする同期制御装置。
【００９８】
このような構成の同期制御装置では、請求項１または請求項２に記載の同期制御装置において、複数の個別同期手段は、前記時間軸上でＭ多重化されたＭ個のチャネルとの同期に個別に供される。前記予備同期手段は、前記複数の個別同期手段の内、前記通信チャネルとの同期に供される第二の個別同期手段を用いて前記特定のチャネルとの同期をとる。前記本同期手段は、前記複数の個別同期手段の内、前記第二の個別同期手段の稼働条件として、前記時間軸上における前記特定のチャネルと前記通信チャネルとの格差が補償される稼働条件を設定する。
【００９９】
すなわち、所望の通信チャネルとの同期は、その通信チャネルを含むＭ個のチャネルとの同期に個別に供される個別同期手段と、該当する個別同期手段に設定される稼働条件との切り替えにより、制御チャネルとの同期を経て段階的に行われる。
【０１００】
したがって、上記個別同期手段が既存である場合には、これらの個別同期手段の活用により所望の通信チャネルとの同期が実現される。
【符号の説明】
【０１０１】
１１  アンテナ
１２  スイッチ
１３，２６  バッファメモリ
１４  音声符復号化部
１５  レシーバ
１６  マイク
１７  プロセッサ
２０  系
２１  アンテナスイッチ（ＡＳＷ）
２２  受信部
２３  送信部
２４  変復調部
２４Ｍ  メモリ
２５  ＴＤＭＡ／ＴＤＤ部
２５Ｓ  個別同期制御部
【図１】
0005525222.tif 000002
【図２】
0005525222.tif 000003
【図３】
0005525222.tif 000004
【図４】
0005525222.tif 000005
【図５】
0005525222.tif 000006